(57)【要約】【課題】  腹当ての元竿に対する取付け形態を変更することによって、腹部等の身体にかかる圧迫感を軽減できる。【解決手段】  元竿１端に尻栓２を螺着するとともに、尻栓２に球状の座面を備えた取付座３を備え、取付座３に腹当て４を取り付け、腹当て４を、元竿１の竿軸芯Ｘ周りで回動自在に、かつ、その竿軸芯Ｘに直交する軸芯Ｙ周りで揺動自在に設けてある。【選択図】        図１
2008017792.tif 000002
【特許請求の範囲】
【請求項１】
元竿の竿尻端に釣り竿の釣り姿勢を調節する姿勢補助具を設けるとともに、前記姿勢補助具を、前記元竿の竿軸芯に直交する軸芯周りで揺動自在に設けてある釣り竿。
【請求項２】
前記姿勢補助具を、前記元竿の竿軸芯周りで回動自在に設けてある請求項１記載の釣り竿。
【請求項３】
前記姿勢補助具を、球状に凹入する取付用凹入部と、竿尻端に位置する皿状受止面とで構成してある請求項１又は２記載の釣り竿。
【請求項４】
前記元竿端に尻栓を螺着するとともに、前記尻栓に球状の座面を備えた取付座を備え、前記取付座に前記姿勢補助具を取り付けるように構成してある請求項１〜３のうちのいずれか一つに記載の釣り竿。
【請求項５】
前記取付座を前記尻栓に対して螺着自在に構成してある請求項４に記載の釣り竿。
【発明の詳細な説明】
【技術分野】
【０００１】
本発明は、元竿の竿尻端に姿勢補助具としての腹当てを設けてある釣り竿に関する。
【背景技術】
【０００２】
腹当ては、元竿の竿尻端にネジ止め固定されていた（特許文献１参照）。
【０００３】
【特許文献１】特許第３４４６９６７号公報（段落番号〔００１９〕、及び、図２）
【発明の開示】
【発明が解決しようとする課題】
【０００４】
釣りにおいて、キャスティング後のリトリープや釣り糸の巻き上げ時に、穂先側の竿の振れ等を抑えるために、腹当てを腹部に当てて、リール操作を行うものである。
しかし、竿が重く腹当てが強く腹部に当る場合や釣り竿の姿勢が変わって腹当ての腹部等に対する当接位置を変更させるような力が働くと、腹部等が圧迫感を受けることがあった。
その為に、前記従来技術においては、腹当てを軟質ゴムで構成していた。
ただし、腹当てを軟質ゴムで構成していても、釣上げ操作時に穂先竿の姿勢変化が頻繁に発生すると、依然として腹部等にかかる圧迫感を解放することが出来にくい面もあった。
【０００５】
本発明の目的は、腹当てとしての姿勢補助具の元竿に対する取付け形態を変更することによって、腹部等の身体にかかる圧迫感を軽減できる釣り竿を提供する点にある。
【課題を解決するための手段】
【０００６】
〔構成〕
請求項１に係る発明の特徴構成は、元竿の竿尻端に釣り竿の釣り姿勢を調節する姿勢補助具を設けるとともに、前記姿勢補助具を、前記元竿の竿軸芯に直交する軸芯周りで揺動自在に設けてある点にあり、その作用効果は次の通りである。
【０００７】
〔作用〕
姿勢補助具が、元竿の竿軸芯に直交する軸芯周りで揺動自在であるので、穂先側の竿の傾き等が変化しても、姿勢補助具が揺動して、姿勢補助具の腹部等に対する当接位置を変更させる力を吸収し、姿勢補助具自体が腹部等に対して下や横に移動することを阻止できる。
【０００８】
〔効果〕
このように、姿勢補助具を揺動自在に構成することによって、腹部等の身体にかかる圧迫感を緩和することができた。
【０００９】
請求項２に係る発明の特徴構成は、請求項１に係る発明において、前記姿勢補助具を、前記元竿の竿軸芯周りで回動自在に設けてある点にあり、その作用効果は次の通りである。
【００１０】
〔作用効果〕
つまり、姿勢補助具が元竿の竿軸芯に対して直交する軸芯回りで揺動するだけでなく、竿軸芯回りで回動可能でもあるので、穂先側が横向きに倒れ姿勢に切り換わろうとする場合にも、姿勢補助具が回動する。
これによって、姿勢補助具が回動しない場合に見られた、穂先側が横向きに倒れ姿勢に切り換わろうとする場合に、姿勢補助具が衣服を捩るように無理に回動しようとして、その衣服を捩ることによる影響で腹部等が受けていた圧迫感を、回避できることになった。
【００１１】
請求項３に係る発明の特徴構成は、請求項１又は２に係る発明において、前記姿勢補助具を、球状に凹入する取付用凹入部と、後端に形成された皿状受止面とで構成してある点にあり、その作用効果は次の通りである。
【００１２】
〔作用効果〕
姿勢補助具は、皿状受止面を腹部等の身体に当接させる。このように、受止面が皿状に形成されているので、皿状受止面の全体が腹部に当接しながら皿状受止面のやや突出した部分が腹部等に深く入り込んで、釣り竿のずり落ちを阻止することができる。
一方、元竿に取付られる取付用凹入部が球状に形成してあるので、姿勢補助具を竿軸芯回りに回動自在に構成するとともに、竿軸芯に直交する軸芯回りにも揺動する構成が容易に達成できたのである。
【００１３】
請求項４に係る発明の特徴構成は、請求項１〜３の内のいずれか一つに係る発明において、前記元竿端に尻栓を螺着するとともに、前記尻栓に球状の座面を備えた取付座を備え、前記取付座に前記姿勢補助具を取り付けるように構成してある点にあり、その作用効果は次の通りである。
【００１４】
〔作用効果〕
姿勢補助具自体を直接元竿に取り付けるのではなく、尻栓を介して姿勢補助具を取付ることにする。これによって、姿勢補助具を取り付けるための球状の座面を備えた取付座を構成するに専用の部品を設ける必要はなく、尻栓を兼用利用できる。
そして、このように尻栓を利用できるので、球状の座面を備えた取付座を形成するのも容易に行える。
【００１５】
請求項５に係る発明の特徴構成は、請求項４に係る発明において、前記取付座を前記尻栓に対して螺着自在に構成してある点にあり、その作用効果は次の通りである。
【００１６】
〔作用効果〕
取付座を尻栓に対して螺着自在であるので、球面を有する取付座のメインテナンスや取り換えが容易であり、かつ、取付座単独で製作を行うことができるので、製作上容易である。
【発明を実施するための最良の形態】
【００１７】
〔第１実施形態〕
磯竿、船竿等の釣り竿Ａについて説明する。図１（イ）（ロ）に示すように、元竿１の竿尻端に尻栓２を螺着するとともに、尻栓２の後端に取付座３を螺着し、この取付座３に姿勢補助具としての腹当て４を取り付けて釣り竿Ａを構成してある。
【００１８】
図１及び図２に示すように、元竿１の竿尻端の内周面に、雌ネジ部１Ａを刻設してある。尻栓２は、小径軸部２Ａと大径摘まみ部２Ｂとを一体形成してあり、小径軸部２Ａに前記元竿１の雌ネジ部１Ａに螺合する雄ネジ部２ａを形成してある。尻栓２は、ナイロンやポリエチレン等の合成樹脂に金属メッキを施して構成する。又は、チタンやアルミニュウムの金属材料によって構成してもよい。さらには、金属材料や合成樹脂を組み合わせて構成したものでもよい。尻栓２の後端部には、取付座３を螺着する為の雌ネジ部２Ｃを刻設してある。
【００１９】
図１及び図２に示すように、取付座３は、尻栓２に対する取付軸部３Ａと取付本体部３Ｂとからなり、取付軸部３Ａに尻栓２の雌ネジ部２Ｃに螺合する雄ネジ部３ａを刻設するとともに、取付本体部３Ｂに球面状の取付用の座面３ｂを形成して構成してある。取付座３は、尻栓２と同様に、ナイロンやポリエチレン等の合成樹脂に金属メッキを施して構成する。又は、チタンやアルミニュウムの金属材料によって構成してもよい。
【００２０】
図１及び図２に示すように、腹当て４は、球状に凹入する取付用凹入部４Ａと、後端に形成された皿状受止面４Ｂとで構成してある。取付用凹入部４Ａは、前端に挿入口４ａを形成し、その挿入口４ａから奥側に球状の凹入座面４ｂを形成して構成してある。凹入座面４ｂを形成してある取付用凹入部４Ａは、凹入座面４ｂから外側に一定厚みの外郭を有して形成してある。一方、取付用凹入部４Ａの後側には皿状受止面４Ｂが形成してあり、釣り人の腹部に当接して受止機能を発揮させるように、取付用凹入部４Ａより大径のものに構成されている。
【００２１】
腹当て４の材料としては、ＥＶＡ（エチレン酢酸ビニール）、ＮＢＲ等のゴムが使用され、これらの材料で、取付用凹入部４Ａから皿状受止面４Ｂまでを一体形成してある。
以上のような各構成部品を組み合わせることによって、元竿１の竿尻端に腹当て４を取付ることができる。つまり、尻栓２の後端面に取付座３を螺着するとともに、取付座３の取付本体部３Ｂに腹当て４の取付用凹入部４Ａを被せて外嵌装着する。
【００２２】
取付座３の取付本体部３Ｂに、球面状の取付用の座面３ｂを形成してあるので、その取付用の座面３ｂに取付けられた腹当て４は、図１（イ）に示すように、竿軸芯Ｘに直交する軸芯Ｙを中心にして揺動するものである。ここで、竿軸芯Ｘに直交する軸芯Ｙについては、図１（ロ）に示すように、円周方向に沿って無数にあり、その無数にある軸芯Ｙ回りで、腹当て４は揺動するものである。
また、腹当て４は、図１（イ）に示すように、取付面３ｂが球面状を呈しているので、図１（ロ）に示すように、竿軸芯Ｘ回りに、つまり、円周方向に沿って回転することができる。
【００２３】
以上のような構成により、腹当て４は、円周方向へも、また、軸芯Ｙ回り（前後方向に揺動）でも揺動するところから、釣り竿を持って操作を行う場合に、釣り竿の操作が容易である。
【００２４】
〔第２実施形態〕
ここでは、取付座３と腹当て４との取付形態が異なるものについて説明する。図３及び図４に示すように、元竿１の竿尻端の内周面に、雌ネジ部１Ａを刻設する点は第１実施形態と同様である。尻栓２は、小径軸部２Ａと大径摘まみ部２Ｄとを一体形成してあり、小径軸部２Ａに前記元竿１の雌ネジ部１Ａに螺合する雄ネジ部２ａを形成してある点も第１実施形態と同様である。
【００２５】
ただし、大径摘まみ部２Ｄは異なっている。大径摘まみ部２Ｄは、円形の基体の中心位置に球面状の凹入部２ｃを形成するとともに、その凹入部２ｃの外縁側に複数箇所の雌ネジ部２ｄを形成してある。
【００２６】
図３及び図４に示すように、取付座３の代わりに、取付具５を設ける。取付具５は、先端に球面状の滑動部５Ａとその滑動部５Ａより後側に延出された取付ピン部５Ｂとで構成されており、腹当て６を取付ピン部５Ｂに接着剤等を介して取付固定する構成を採る。
【００２７】
図３及び図４に示すように、取付ピン部５Ｂと腹当て６との間には、蓋体７を設ける。蓋体７は、取付具５の滑動部５Ａを尻栓２の球面状の凹入部２ｃに挿入した状態で尻栓２にネジ固定されて滑動部５Ａの抜け出しを阻止するものである。
【００２８】
図３及び図４に示すように、腹当て６は、前端側に取付ピン部５Ｂを装着する為の取付穴６Ａを形成してあり、後端側には皿状受止面６Ｂを形成してあり、蓋体７より大径に形成されている。
【００２９】
以上のような構成部品を組み付けるには、二つの方法がある。つまり、取付具５、蓋体７、腹当て６を組み付けるには、順番に、取付具５の滑動部５Ａを尻栓２の球面状の凹入部２ｃに挿入し、蓋体７を尻栓２に取付て活動部５Ａの抜け出しを阻止した状態で、蓋体７の中心貫通孔７Ａから突出した取付ピン部５Ｂに腹当て６の取付穴６Ａを外嵌させて接着剤で取り付け固定する。
【００３０】
別の取付方法としては、蓋体７を挟んで、予め、蓋体７の中心貫通孔７Ａから突出させた取付ピン部５Ｂに腹当て６の取付穴６Ａを外嵌させて接着剤で取り付け固定した状態で、取付具５の滑動部５Ａを尻栓２の球面状の凹入部２ｃに挿入しながら、蓋体７を尻栓２に取付ることによって、組付けを完了する。
【００３１】
以上のような構成になる腹当て６は、取付具５と一体となって、尻栓２に対して、第１実施形態においても言及したように、竿軸芯Ｘ回りで回動自在であり、かつ、竿軸芯Ｘに直交する軸芯Ｙ回りで揺動自在に構成できる。
【００３２】
〔別実施形態〕
請求項１に対応する実施形態について説明する。図５に示すように、尻栓８の後端部にブラケット部８Ａを一体形成するとともに、腹当て９をブラケット部８Ａにピン１０連結して、竿軸芯Ｘに直交するピン１０の軸芯Ｙ回りで揺動自在に構成する。つまり、腹当て９を尻栓８のブラケット部８Ａに連結される硬質樹脂製の基端部９Ａと基端部９Ａに取付られている軟質ゴム製の皿状受止部９Ｂとで構成し、基端部９Ａにピン１０挿通用の孔を形成している。
【図面の簡単な説明】
【００３３】
【図１】（イ）姿勢補助具としての腹当てを腹部に当接させた状態を示す側面図、（ロ）姿勢補助具の皿状受止部を示す背面図
【図２】姿勢補助具の取付形態を示す分解縦断側面図
【図３】姿勢補助具の第２実施形態を示す一部切欠き側面図
【図４】図３に示した姿勢補助具の取付形態を示す分解縦断側面図
【図５】姿勢補助具の別実施形態を示す側面図
【符号の説明】
【００３４】
１                  元竿
２、８              尻栓
３                  取付座
３ｂ                座面
４、６、９          姿勢補助具（腹当て）
４Ａ                取入用凹入部
４Ｂ、６Ｂ、９Ｂ    皿状受止面
【図１】
2008017792.tif 000003
【図２】
2008017792.tif 000004
【図３】
2008017792.tif 000005
【図４】
2008017792.tif 000006
【図５】
2008017792.tif 000007